(57)【要約】【課題】端子台の製造が容易、かつ、生産性に優れた端子台ユニットを提供する。【解決手段】端子台ユニット１０は、一端部に第１接続端子４１Ｕ、４１Ｖ、４１Ｗが設けられた第１導電部材４０Ｕ、４０Ｖ、４０Ｗと、一端部に第２接続端子５１Ｕ、５１Ｖ、５１Ｗが設けられた第２導電部材５０Ｕ、５０Ｖ、５０Ｗと、第１接続端子４１Ｕ、４１Ｖ、４１Ｗ及び第２接続端子５１Ｕ、５１Ｖ、５１Ｗが載置される載置部２１Ｕ、２１Ｖ、２１Ｗを有する端子台２０と、第１接続端子４１Ｕ、４１Ｖ、４１Ｗ及び第２接続端子５１Ｕ、５１Ｖ、５１Ｗを挟んで載置部２１Ｕ、２１Ｖ、２１Ｗと対向して配置される押圧部材３０と、を備える。第１接続端子４１Ｕ、４１Ｖ、４１Ｗ及び第２接続端子５１Ｕ、５１Ｖ、５１Ｗは、押圧部材３０の押圧力によって、接続部６０Ｕ、６０Ｖ、６０Ｗで電気的に接続されて端子台２０に固定される。【選択図】図２Ａ
2020135968.tif 000002
【特許請求の範囲】
【請求項１】
一端部に第１接続端子が設けられた第１導電部材と、
一端部に第２接続端子が設けられた、前記第１導電部材と対応する第２導電部材と、
前記第１接続端子及び前記第２接続端子が載置される載置部を有する端子台と、
前記第１接続端子及び前記第２接続端子を挟んで前記載置部と対向して配置される押圧部材と、を備え、
前記第１接続端子及び該第１接続端子と対応する前記第２接続端子が、前記押圧部材の押圧力によって、接続部で電気的に接続された状態で前記端子台に固定されている、端子台ユニット。
【請求項２】
請求項１に記載の端子台ユニットであって、
前記端子台と前記押圧部材の少なくとも一方には、各接続部の間に配置された仕切壁が設けられている、端子台ユニット。
【請求項３】
請求項１または２に記載の端子台ユニットであって、
前記押圧部材の一端部と前記端子台とを連結する回動部を備え、
前記押圧部材と前記端子台とは、前記回動部を支点として回動可能に連結される、端子台ユニット。
【請求項４】
請求項３に記載の端子台ユニットであって、
前記回動部には、前記押圧部材を前記載置部に向かう方向に付勢する付勢部材が設けられており、
前記押圧部材は、前記付勢部材の付勢力によって、前記接続部を前記載置部に押圧する、端子台ユニット。
【請求項５】
請求項１〜４のいずれか一項に記載の端子台ユニットであって、
前記押圧部材には、前記載置部に向かって突出した係止部が設けられており、
前記押圧部材は、前記係止部が前記端子台に係止されることによって、前記接続部を前記載置部に押圧した状態で前記端子台に固定される、端子台ユニット。
【請求項６】
請求項１〜４のいずれか一項に記載の端子台ユニットであって、
前記端子台には、前記押圧部材に向かって突出した係止部が設けられており、
前記押圧部材は、前記係止部が前記押圧部材に係止されることによって、前記接続部を前記載置部に押圧した状態で前記端子台に固定される、端子台ユニット。
【請求項７】
請求項１〜４のいずれか一項に記載の端子台ユニットであって、
前記押圧部材と前記端子台とを係止する係止部材を備え、
前記押圧部材は、前記係止部材によって、前記接続部を前記載置部に押圧した状態で前記端子台に固定される、端子台ユニット。
【請求項８】
請求項１または２に記載の端子台ユニットであって、
前記押圧部材は、
前記接続部の第１端部側から、該第１端部と対向する第２端部側へと延びる第１押圧部材と、
前記接続部の前記第２端部側から、前記第１端部側へと延びる第２押圧部材と、を有し、
前記第１押圧部材は、前記第１端部側端部と前記端子台とを連結する第１回動部を支点として回動可能に前記端子台に連結され、
前記第２押圧部材は、前記第２端部側端部と前記端子台とを連結する第２回動部を支点として回動可能に前記端子台に連結され、
前記第１回動部には、前記第１押圧部材を前記載置部に向かう方向に付勢する第１付勢部材が設けられており、
前記第２回動部には、前記第２押圧部材を前記載置部に向かう方向に付勢する第２付勢部材が設けられており、
前記第１押圧部材は、前記第１付勢部材の付勢力によって、前記接続部を前記載置部に押圧し、
前記第２押圧部材は、前記第２付勢部材の付勢力によって、前記接続部を前記載置部に押圧する、端子台ユニット。
【請求項９】
請求項１または２に記載の端子台ユニットであって、
前記端子台は、前記載置部に対向する押さえ部を有し、
前記押圧部材は、付勢部材と、該付勢部材を挟持する一対の板材と、を有し、
前記押圧部材は、前記載置部と前記押さえ部との間に介挿され、前記付勢部材の付勢力によって、前記接続部を前記載置部に押圧する、端子台ユニット。
【請求項１０】
請求項１または２に記載の端子台ユニットであって、
前記端子台ユニットは、ケース部材とカバー部材とによって形成される空間部に収容され、
前記押圧部材は、付勢部材及び板材を有し、
前記押圧部材は、前記カバー部材と一体成形され、前記付勢部材が前記カバー部材と前記板材によって挟持されており、前記付勢部材の付勢力によって、前記接続部を前記載置部に押圧する、端子台ユニット。
【請求項１１】
請求項１または２に記載の端子台ユニットであって、
前記押圧部材及び前記端子台は、一対の付勢部材によって互いに近づくように付勢され、
前記押圧部材は、前記一対の付勢部材の付勢力によって、前記接続部を前記載置部に押圧する、端子台ユニット。
【請求項１２】
請求項１または２に記載の端子台ユニットであって、
前記端子台は、クランプアームを有するクランプ装置を備え、
前記クランプアームは、前記押圧部材に連結しており、
前記押圧部材は、前記クランプ装置の締付力によって、前記接続部を前記載置部に押圧する、端子台ユニット。
【請求項１３】
請求項１または２に記載の端子台ユニットであって、
前記押圧部材は、前記端子台に設けられたカムレバー装置によって挟持されており、前記カムレバー装置の締付力によって、前記接続部を前記載置部に押圧する、端子台ユニット。
【請求項１４】
請求項１または２に記載の端子台ユニットであって、
前記端子台と前記押圧部材のいずれか一方には、永久磁石が配置され、
前記端子台と前記押圧部材の他方は、前記永久磁石に引き寄せられる強磁性体を含み、
前記押圧部材は、前記永久磁石の磁力によって、前記接続部を前記載置部に押圧する、端子台ユニット。
【請求項１５】
一端部に第１接続端子が設けられた第１導電部材と、
一端部に第２接続端子が設けられた、前記第１導電部材と対応する第２導電部材と、
前記第１接続端子及び前記第２接続端子が載置される載置部を有する端子台と、を備え、
前記端子台の前記載置部には、永久磁石が配置されており、
前記第１接続端子及び前記第２接続端子の少なくとも一方は、前記永久磁石に引き寄せられる強磁性体を含み、
前記第１接続端子及び該第１接続端子と対応する前記第２接続端子が、前記永久磁石の磁力によって、接続部で電気的に接続された状態で前記端子台に固定されている、端子台ユニット。
【発明の詳細な説明】
【技術分野】
【０００１】
本発明は、回転電機等に用いられる端子台ユニットに関する。
【背景技術】
【０００２】
従来から、電動車両などには、駆動源として回転電機が搭載されている。そして、回転電機と回転電機に電力を供給するための電力変換装置とを電気的に接続する部品として、バスバーを有する端子台ユニットを用いることが知られている。
【０００３】
例えば、特許文献１には、電気自動車のモータ電源が接続される部品等に用いて好適な端子台ユニットが開示されている。特許文献１の端子台ユニットは、導電路に配設された接続端子と電気的に接続される端子部が少なくとも２ヶ所設けられたバスバーと、接続端子をバスバーの端子部に締め付けて電気的に接続させる四角ナットを保持する端子台と、接続端子とバスバーの端子部とを挟んで四角ナットに締結されるボルト部材と、を備えている。
【先行技術文献】
【特許文献】
【０００４】
【特許文献１】特開２００４−３２７１８４号公報
【発明の概要】
【発明が解決しようとする課題】
【０００５】
しかしながら、特許文献１の端子台ユニットは、３相インバータ・モータの各相に対応する３つの接続端子とバスバーの端子部とをそれぞれボルト部材で締結するため、端子台ユニット製造の際、接続端子とバスバーの端子部とをボルト部材で締結する作業を３回繰り返す必要となり、生産性が悪いという課題があった。また、端子台に四角ナットを配置固定する必要があるため、端子台の製造が複雑であるという課題があった。
【０００６】
本発明は、端子台の製造が容易、かつ、生産性に優れた端子台ユニットを提供する。
【課題を解決するための手段】
【０００７】
本発明の第１発明は、
一端部に第１接続端子が設けられた第１導電部材と、
一端部に第２接続端子が設けられた、前記第１導電部材と対応する第２導電部材と、
前記第１接続端子及び前記第２接続端子が載置される載置部を有する端子台と、
前記第１接続端子及び前記第２接続端子を挟んで前記載置部と対向して配置される押圧部材と、を備え、
前記第１接続端子及び該第１接続端子と対応する前記第２接続端子が、前記押圧部材の押圧力によって、接続部で電気的に接続された状態で前記端子台に固定されている。
【０００８】
本発明の第２発明は、
一端部に第１接続端子が設けられた第１導電部材と、
一端部に第２接続端子が設けられた、前記第１導電部材と対応する第２導電部材と、
前記第１接続端子及び前記第２接続端子が載置される載置部を有する端子台と、を備え、
前記端子台の前記載置部には、永久磁石が配置されており、
前記第１接続端子及び前記第２接続端子の少なくとも一方は、前記永久磁石に引き寄せられる強磁性体を含み、
前記第１接続端子及び該第１接続端子と対応する前記第２接続端子が、前記永久磁石の磁力によって、接続部で電気的に接続された状態で前記端子台に固定されている。
【発明の効果】
【０００９】
本発明によれば、第１接続端子と該第１接続端子と対応する第２接続端子とを、ボルト部材を用いることなく、電気的に接続して固定することができる。これにより、端子台にナット部材を配置する必要がなく、端子台の製造が容易となる。また、第１接続端子と、該第１接続端子と対応する第２接続端子とをボルト部材で締結する作業が不要となり、生産性が向上する。
【図面の簡単な説明】
【００１０】
【図１】本発明の第１実施形態における端子台ユニットの斜視図である。
【図２Ａ】図１の端子台ユニットを正面から見た要部断面図である。
【図２Ｂ】本発明の第１実施形態における端子台ユニットの変形例を正面から見た要部断面図である。
【図３Ａ】本発明の第２実施形態における端子台ユニットを正面から見た要部拡大図である。
【図３Ｂ】本発明の第２実施形態における端子台ユニットの第１変形例を正面から見た要部拡大図である。
【図３Ｃ】本発明の第２実施形態における端子台ユニットの第２変形例を正面から見た要部拡大図である。
【図３Ｄ】本発明の第２実施形態における端子台ユニットの第３変形例を正面から見た要部拡大図である。
【図３Ｅ】本発明の第２実施形態における端子台ユニットの第４変形例を正面から見た要部拡大図である。
【図４Ａ】本発明の第３実施形態における端子台ユニットを上面から見た要部拡大図である。
【図４Ｂ】図４ＡのＡ−Ａ断面図である。
【図４Ｃ】図４ＡのＢ−Ｂ断面図である。
【図５】本発明の第４実施形態における端子台ユニットを正面から見た要部拡大図である。
【図６】本発明の第５実施形態における端子台ユニットを正面から見た要部拡大図である。
【図７】本発明の第６実施形態における端子台ユニットを正面から見た要部拡大図である。
【図８】本発明の第７実施形態における端子台ユニットを正面から見た要部断面図である。
【図９】本発明の第８実施形態における端子台ユニットを正面から見た要部断面図である。
【図１０】本発明の第９実施形態における端子台ユニットを正面から見た要部断面図である。
【図１１】本発明の第９実施形態における端子台ユニットの変形例を正面から見た要部断面図である。
【発明を実施するための形態】
【００１１】
以下、本発明の端子台ユニットの各実施形態を、添付図面に基づいて説明する。
【００１２】
［第１実施形態］
先ず、本発明の第１実施形態の端子台ユニットについて図１〜図２Ｂを参照しながら説明する。
【００１３】
＜端子台ユニットの構成＞
図１に示すように、本実施形態の端子台ユニット１０は、上面、下面、前面、後面、左面、及び右面を有する略直方体形状の端子台２０と、端子台２０の上面を覆うように設けられた押圧部材３０と、を備える。端子台２０の上面には、３つの載置部２１Ｕ、２１Ｖ、２１Ｗが左右方向に並んで形成されている。本実施形態では、載置部は、左から右に向かって２１Ｕ、２１Ｖ、２１Ｗの順に並んで形成されている。
【００１４】
なお、本明細書等では説明を簡単且つ明確にするため、便宜上、端子台２０の載置部２１Ｕ、２１Ｖ、２１Ｗが形成されている面を上面と定義し、載置部２１Ｕ、２１Ｖ、２１Ｗの並び方向を左右方向と定義したものである。したがって、端子台ユニット１０が製品に搭載された状態の方向とは無関係である。図面には、端子台ユニットの前方をＦｒ、後方をＲｒ、左側をＬ、右側をＲ、上方をＵ、下方をＤ、として示す。
【００１５】
端子台ユニット１０は、３つの第１導電部材４０Ｕ、４０Ｖ、４０Ｗと、３つの第２導電部材５０Ｕ、５０Ｖ、５０Ｗと、をさらに備える。３つの第１導電部材４０Ｕ、４０Ｖ、４０Ｗの一端部には、それぞれ平板状の第１接続端子４１Ｕ、４１Ｖ、４１Ｗが設けられている。３つの第２導電部材５０Ｕ、５０Ｖ、５０Ｗの一端部には、それぞれ平板状の第２接続端子５１Ｕ、５１Ｖ、５１Ｗが設けられている。
【００１６】
３つの第１導電部材４０Ｕ、４０Ｖ、４０Ｗの他端部は、例えば、回転電機（不図示）のステータコイルに接続される。３つの第２導電部材５０Ｕ、５０Ｖ、５０Ｗの他端部は、例えば、回転電機に電力を供給する電力変換装置（不図示）に接続される。
【００１７】
第１導電部材４０Ｕの第１接続端子４１Ｕと第２導電部材５０Ｕの第２接続端子５１Ｕとは、互いの平板面の少なくとも一部が上下に重なって、端子台２０の載置部２１Ｕに載置されている。そして、端子台２０の載置部２１Ｕ上に、第１接続端子４１Ｕと第２接続端子５１Ｕとが互いに上下に重なる接続部６０Ｕが形成される。
【００１８】
同様に、第１導電部材４０Ｖの第１接続端子４１Ｖと第２導電部材５０Ｖの第２接続端子５１Ｖとは、少なくとも一部が互いに上下に重なって、端子台２０の載置部２１Ｖに載置されている。そして、端子台２０の載置部２１Ｖ上に、第１接続端子４１Ｖと第２接続端子５１Ｖとが互いに上下に重なって電気的に接続する接続部６０Ｖが形成される。さらに、第１導電部材４０Ｗの第１接続端子４１Ｗと第２導電部材５０Ｗの第２接続端子５１Ｗとは、少なくとも一部が互いに上下に重なって、端子台２０の載置部２１Ｗに載置されている。そして、端子台２０の載置部２１Ｗ上に、第１接続端子４１Ｗと第２接続端子５１Ｗとが互いに上下に重なる接続部６０Ｗが形成される。
【００１９】
＜押圧部材の構成＞
図１及び図２Ａに示すように、押圧部材３０は、略平板状であり、端子台２０の載置部２１Ｕ、２１Ｖ、２１Ｗを上方から覆うように配置されている。押圧部材３０の左端部には、押圧部材３０の下面から端子台２０の左面に沿って下方に延び、先端が端子台２０の中央側に向かって突出する略Ｌ字形状の爪部３１Ｌが設けられており、押圧部材３０の右端部には、押圧部材３０の下面から端子台２０の右面に沿って下方に延び、先端が端子台２０の中央側に向かって突出する略Ｌ字形状の爪部３１Ｒが設けられている。
【００２０】
押圧部材３０の下面には、下方向に突出して前後方向に延びる２つの仕切壁３２Ｌ、３２Ｒが形成されている。仕切壁３２Ｌは、端子台２０の載置部２１Ｕと載置部２１Ｖとの間に位置するように配置され、仕切壁３２Ｌは、端子台２０の載置部２１Ｕと載置部２１Ｖとの間に位置するように配置されている。さらに、仕切壁３２Ｌ、３２Ｒには、それぞれ、下面から下方に延び、先端が左右方向に突出する略Ｌ字形状の爪部３３Ｌ、３３Ｒが設けられている。
【００２１】
端子台２０の左面には、押圧部材３０の爪部３１Ｌが引っ掛かるように形成された窪み穴形状の係止穴２１Ｌが形成されている。同様に、端子台２０の右面には、押圧部材３０の爪部３１Ｒが引っ掛かるように形成された窪み穴形状の係止穴２１Ｒが形成されている。
【００２２】
端子台２０の上面には、載置部２１Ｕと載置部２１Ｖとの間に、前後方向に延び、押圧部材３０の仕切壁３２Ｌの下面が挿入されるように形成された溝部２２Ｌが設けられている。さらに、溝部２２Ｌには、押圧部材３０の爪部３３Ｌが引っ掛かるように形成された、正面視で断面略Ｌ字形状の係止穴２３Ｌが形成されている。同様に、端子台２０の上面には、載置部２１Ｖと載置部２１Ｗとの間に、前後方向に延び、押圧部材３０の仕切壁３２Ｒの下面が挿入されるように形成された溝部２２Ｒが設けられている。さらに、溝部２２Ｒには、押圧部材３０の爪部３３Ｒが引っ掛かるように形成された、正面視で断面略Ｌ字形状の係止穴２３Ｒが形成されている。
【００２３】
本実施形態では、係止穴２３Ｌは、端子台２０の前面には連通しておらず、端子台２０の後面に連通している。一方、係止穴２３Ｒは、端子台２０の後面には連通しておらず、端子台２０の前面に連通している。
【００２４】
押圧部材３０は、爪部３１Ｌ、３１Ｒ、３３Ｌ、３３Ｒが、それぞれ端子台２０の係止穴２１Ｌ、２１Ｒ、２３Ｌ、２３Ｒに引っ掛かって係止されることにより、端子台２０に固定されている。このとき、押圧部材３０は、第１接続端子４１Ｕ、４１Ｖ、４１Ｗと第２接続端子５１Ｕ、５１Ｖ、５１Ｗとが互いに上下に重なって電気的に接続する接続部６０Ｕ、６０Ｖ、６０Ｗを押圧した状態で、端子台２０に固定されている。したがって、第１接続端子４１Ｕ、４１Ｖ、４１Ｗ及び第２接続端子５１Ｕ、５１Ｖ、５１Ｗは、電気的に接続された状態で端子台２０に固定される。
【００２５】
これにより、第１接続端子４１Ｕ、４１Ｖ、４１Ｗと第２接続端子５１Ｕ、５１Ｖ、５１Ｗとを、ボルト部材を用いることなく、電気的に接続して端子台２０に固定することができるので、端子台２０にナット部材を配置することが不要となり、端子台２０の製造が容易となる。また、１つの押圧部材３０で複数の第１接続端子４１Ｕ、４１Ｖ、４１Ｗと第２接続端子５１Ｕ、５１Ｖ、５１Ｗとを電気的に接続して固定することが可能となるので、第１接続端子４１Ｕ、４１Ｖ、４１Ｗと第２接続端子５１Ｕ、５１Ｖ、５１Ｗとをそれぞれボルト部材で締結する計３回のボルト締結作業が不要となり、生産性が向上する。
【００２６】
また、係止穴２３Ｌが端子台２０の後面に連通しているので、爪部３３Ｌが係止穴２３Ｌに係止していることを端子台２０の後面から目視で確認ができる。同様に、係止穴２３Ｒが端子台２０の前面に連通しているので、爪部３３Ｒが係止穴２３Ｒに係止していることを端子台２０の前面から目視で確認ができる。
【００２７】
さらに、係止穴２３Ｌは端子台２０の前面に連通しておらず、押圧部材３０に前方向の荷重がかかっても、爪部３３Ｌが係止穴２３Ｌに引っ掛かるので、押圧部材３０が端子台２０の前方に抜け落ちることがない。同様に、係止穴２３Ｒは端子台２０の後面に連通しておらず、押圧部材３０に後方向の荷重がかかっても、爪部３３Ｒが係止穴２３Ｒに引っ掛かるので、押圧部材３０が端子台２０の後方に抜け落ちることがない。したがって、係止穴２３Ｌは端子台２０の前面に連通しておらず、かつ係止穴２３Ｒは端子台２０の後面に連通していないことにより、押圧部材３０に前後方向の荷重がかかった場合でも、押圧部材３０が端子台２０から脱落することを防止できる。
【００２８】
押圧部材３０は、仕切壁３２Ｌ、３２Ｒの下面が、それぞれ端子台２０の溝部２２Ｌ、２２Ｒに位置するように端子台２０に固定されている。したがって、仕切壁３２Ｌは、接続部６０Ｕと接続部６０Ｖとの間に配置され、仕切壁３２Ｒは、接続部６０Ｖと接続部６０Ｗとの間に配置されている。
【００２９】
これにより、接続部６０Ｕ、６０Ｖ、６０Ｗは、それぞれ仕切壁３２Ｌ、３２Ｒによって仕切られているので、第１接続端子４１Ｕが対応する第２接続端子５１Ｕ以外の第２接続端子５１Ｖ、５１Ｗと電気的に接続することを防止できる。第１接続端子４１Ｖ、４１Ｗについても同様に、対応する第２接続端子以外の第２接続端子と電気的に接続することを防止できる。
【００３０】
本実施形態においては、端子台２０の溝部２２Ｌ、２２Ｒは、端子台２０の前面から後面まで連通するように形成されている。そして、押圧部材３０の下面に形成された仕切壁３２Ｌ、３２Ｒは、端子台２０の前面より前方から端子台２０の後面より後方まで前後方向に延びている。これにより、第１接続端子４１Ｕ、４１Ｖ、４１Ｗが、対応する第２接続端子以外の第２接続端子と電気的に接続することをより確実に防止できる。
【００３１】
なお、本実施形態においては、仕切壁３２Ｌ、３２Ｒは、押圧部材３０の下面に下方向に突出して形成されているものとしたが、仕切壁３２Ｌ、３２Ｒは、端子台２０の上面に上方に突出して形成されているものとしてもよい。
【００３２】
また、本実施形態においては、押圧部材３０に爪部３１Ｌ、３１Ｒ、３３Ｌ、３３Ｒが設けられ、端子台２０に係止穴２１Ｌ、２１Ｒ、２３Ｌ、２３Ｒが形成されているものとしたが、爪部３１Ｌ、３１Ｒ、３３Ｌ、３３Ｒが端子台２０の上面に上方に向かって延びるように設けられ、係止穴２１Ｌ、２１Ｒ、２３Ｌ、２３Ｒが押圧部材３０の下面に形成されているものとしてもよい。
【００３３】
また、本実施形態においては、爪部３１Ｌ、３１Ｒ、３３Ｌ、３３Ｒは略Ｌ字形状を有するものとしたが、爪部３１Ｌ、３１Ｒ、３３Ｌ、３３Ｒは、係止穴２１Ｌ、２１Ｒ、２３Ｌ、２３Ｒに引っ掛かって係止可能な任意の形状とすることができる。例えば、爪部３１Ｌ、３１Ｒ、３３Ｌ、３３Ｒは、湾曲形状を有するものとしてもよいし、形状記憶合金で形成され、変形させて係止穴２１Ｌ、２１Ｒ、２３Ｌ、２３Ｒに挿入した後、変形が元に戻った状態で引っ掛かって係止されるものとしてもよい。
【００３４】
図２Ｂに示すように、端子台２０の載置部２１Ｕ、２１Ｖ、２１Ｗには、それぞれ弾性体で形成されたパッド部材２４Ｕ、２４Ｖ、２４Ｗが設けられていてもよい。同様に、押圧部材３０の下面には、端子台２０の載置部２１Ｕ、２１Ｖ、２１Ｗと対向する位置にそれぞれ弾性体で形成されたパッド部材３４Ｕ、３４Ｖ、３４Ｗが設けられていてもよい。このようにすると、端子台２０または押圧部材３０に製造誤差が生じた場合でも、第１接続端子４１Ｕ、４１Ｖ、４１Ｗ及び第２接続端子５１Ｕ、５１Ｖ、５１Ｗは、パッド部材２４Ｕ、２４Ｖ、２４Ｗ、３４Ｕ、３４Ｖ、３４Ｗによって押圧されるので、より確実に電気的に接続された状態で端子台２０に固定される。
【００３５】
［第２実施形態］
次に、本発明の第２実施形態の端子台ユニット１０Ａについて図３Ａ〜図３Ｅを参照しながら説明する。なお、以下の説明において、第１実施形態の端子台ユニット１０と同一の構成要素については同一の符号を付して説明を省略又は簡略化し、第１実施形態の端子台ユニット１０と第２実施形態の端子台ユニット１０Ａとの相違点について詳細に説明する。
【００３６】
図３Ａに示すように、端子台ユニット１０Ａは、端子台２０の上面左端部と押圧部材３０の左端部とが、回動部７０によって連結されている。押圧部材３０は、端子台２０に対し、回動部７０を支点として上下方向に回動可能となっている。
【００３７】
一方、端子台ユニット１０Ａは、押圧部材３０の左端部には爪部３１Ｌが設けられておらず、端子台２０の左面には係止穴２１Ｌ形成されていない。また、端子台２０の係止穴２１Ｒは、端子台２０の右面ではなく上面右端側に形成されており、正面視で断面略Ｌ字形状を有する。
【００３８】
したがって、押圧部材３０を端子台２０に係止する際、押圧部材３０を端子台２０に向かって回動すると、位置合わせの必要なく、押圧部材３０によって接続部６０Ｕ、６０Ｖ、６０Ｗを端子台２０の載置部２１Ｕ、２１Ｖ、２１Ｗに押圧した状態で、押圧部材３０を端子台２０に固定できる。これにより、容易な作業で、第１接続端子４１Ｕ、４１Ｖ、４１Ｗ及び第２接続端子５１Ｕ、５１Ｖ、５１Ｗを電気的に接続された状態で端子台２０に固定することができる。
【００３９】
また、回動部７０には、押圧部材３０を端子台２０の載置部２１Ｕ、２１Ｖ、２１Ｗに向かう方向に付勢する付勢部材７１が設けられている。付勢部材７１は、例えばリングばねである。したがって、押圧部材３０は、付勢部材７１の付勢力によって接続部６０Ｕ、６０Ｖ、６０Ｗを端子台２０の載置部２１Ｕ、２１Ｖ、２１Ｗに押圧した状態で端子台２０に固定できる。
【００４０】
なお、本実施形態においては、押圧部材３０には爪部３１Ｒ、３３Ｌ、３３Ｒが設けられており、端子台２０には係止穴２１Ｒ、２３Ｌ、２３Ｒが形成されているものとしたが、図３Ｂに示すように、押圧部材３０に設けられた爪部３１Ｒ、３３Ｌ、３３Ｒに代えて、略Ｕ字形状の係止部材８０が、端子台２０の右面に形成された係止溝２５及び押圧部材３０の右面に形成された係止溝３５に右側から挿入されることよって、押圧部材３０が端子台２０に係止されていてもよい。係止部材８０は、例えば、略Ｕ字形状のクリップである。
【００４１】
また、押圧部材３０は、付勢部材７１の付勢力によって端子台２０に固定されるので、爪部３１Ｒ、３３Ｌ、３３Ｒ及び係止穴２１Ｒ、２３Ｌ、２３Ｒは、省略してもよい。このようにすると、シンプルな構造で、第１接続端子４１Ｕ、４１Ｖ、４１Ｗ及び第２接続端子５１Ｕ、５１Ｖ、５１Ｗを電気的に接続された状態で端子台２０に固定することができる。
【００４２】
図３Ｃに示すように、押圧部材３０の下面には、端子台２０の載置部２１Ｕ、２１Ｖ、２１Ｗと対向する位置にそれぞれ弾性体で形成されたパッド部材３４Ｕ、３４Ｖ、３４Ｗが設けられていてもよい。このとき、パッド部材３４Ｕ、３４Ｖ、３４Ｗは、回動部７０から近い位置にあるほど厚さが薄く、回動部７０から遠い位置にあるほど厚さが厚くなっている。図３Ｃに示す変形例においては、パッド部材３４Ｕ、３４Ｖ、３４Ｗは、この順で厚さが厚くなっている。押圧部材３０の付勢部材７１による付勢力は、力のモーメントにより、回動部７０からの距離が長くなるほど小さくなる。しかしながら、パッド部材３４Ｕ、３４Ｖ、３４Ｗの厚さを、回動部７０から遠い位置にあるものほど厚くすることにより、押圧部材３０が接続部６０Ｕ、６０Ｖ、６０Ｗを押圧する押圧力を均一にすることができる。
【００４３】
図３Ｄに示すように、第１接続端子４１Ｕ、４１Ｖ、４１Ｗ及び第２接続端子５１Ｕ、５１Ｖ、５１Ｗは、回動部７０から近い位置にあるほど厚さが薄く、回動部７０から遠い位置にあるものほど厚さが厚くなるようにしてもよい。図３Ｄに示す変形例においては、第１接続端子４１Ｕ、４１Ｖ、４１Ｗは、この順で厚さが厚くなっており、第２接続端子５１Ｕ、５１Ｖ、５１Ｗは、この順で厚さが厚くなっている。押圧部材３０の付勢部材７１による付勢力は、力のモーメントにより、回動部７０からの距離が長くなるほど小さくなる。しかしながら、第１接続端子４１Ｕ、４１Ｖ、４１Ｗ及び第２接続端子５１Ｕ、５１Ｖ、５１Ｗの厚さを、回動部７０から遠い位置にあるものほど厚くすることにより、押圧部材３０が接続部６０Ｕ、６０Ｖ、６０Ｗを押圧する押圧力を均一にすることができる。
【００４４】
図３Ｅに示すように、載置部２１Ｕ、２１Ｖ、２１Ｗは、回動部７０から近い位置にあるほど下方に位置し、回動部７０から遠い位置にあるものほど上方に位置するようにしてもよい。図３Ｅに示す変形例においては、載置部２１Ｕが最も下方に位置し、載置部２１Ｗが最も上方に位置している。押圧部材３０の付勢部材７１による付勢力は、力のモーメントにより、回動部７０からの距離が長くなるほど小さくなる。しかしながら、載置部２１Ｕ、２１Ｖ、２１Ｗを、回動部７０から遠い位置にあるものほど上方に位置するように配置することにより、押圧部材３０が接続部６０Ｕ、６０Ｖ、６０Ｗを押圧する押圧力を均一にすることができる。
【００４５】
第２実施形態においては、図３Ａ〜図３Ｅに示すように、押圧部材３０の下面に下方向に突出して形成されている仕切壁３２Ｌ、３２Ｒが、それぞれ端子台２０の溝部２２Ｌ、２２Ｒに位置するように端子台２０に固定されていることにより、第１接続端子４１Ｕ、４１Ｖ、４１Ｗが、対応する第２接続端子以外の第２接続端子と電気的に接続することを防止するものとしたが、他の手段によって、第１接続端子４１Ｕ、４１Ｖ、４１Ｗが、対応する第２接続端子以外の第２接続端子と電気的に接続することを防止してもよい。例えば、仕切壁３２Ｌ、３２Ｒが、端子台２０の上面に上方に突出して形成されており、溝部２２Ｌ、２２Ｒが押圧部材３０の下面に形成されているものとしてもよい。
【００４６】
また、例えば、仕切壁３２Ｌ、３２Ｒが、それぞれ、押圧部材３０の下面に下方向に突出したものと、端子台２０の上面に上方に突出したものとの双方が形成されており、押圧部材３０の下面に下方向に突出したものと、端子台２０の上面に上方に突出したものとが、左右方向に隣接して配置されているものとしてもよい。このようにすると、第１接続端子４１Ｕ、４１Ｖ、４１Ｗと、対応する第２接続端子以外の第２接続端子との間の沿面距離を長くすることができるので、第１接続端子４１Ｕ、４１Ｖ、４１Ｗが、対応する第２接続端子以外の第２接続端子と電気的に接続することをより確実に防止できる。
【００４７】
［第３実施形態］
次に、本発明の第３実施形態の端子台ユニット１０Ｂについて図４Ａ〜図４Ｃを参照しながら説明する。なお、以下の説明において、第１実施形態の端子台ユニット１０と同一の構成要素については同一の符号を付して説明を省略又は簡略化し、第２実施形態の端子台ユニット１０Ａと第３実施形態の端子台ユニット１０Ｂとの相違点について詳細に説明する。
【００４８】
図４Ａに示すように、端子台ユニット１０Ｂは、第１押圧部材３０Ｌ及び第２押圧部材３０Ｒを備える。第１押圧部材３０Ｌは、端子台２０の載置部２１Ｕ、２１Ｖ、２１Ｗの上方を覆うように左右方向に延びている。そして、端子台２０の端子台２０の上面左端部と第１押圧部材３０Ｌの左端部とが、第１回動部７０Ｌによって連結されている。第１押圧部材３０Ｌは、端子台２０に対し、第１回動部７０Ｌを支点として上下方向に回動可能となっている。さらに、第１回動部７０Ｌには、第１押圧部材３０Ｌを端子台２０の載置部２１Ｕ、２１Ｖ、２１Ｗに向かう方向に付勢する第１付勢部材７１Ｌが設けられている。第１付勢部材７１Ｌは、例えばリングばねである。
【００４９】
第２押圧部材３０Ｒは、端子台２０の載置部２１Ｕ、２１Ｖ、２１Ｗの上方を覆うように左右方向に延びている。そして、端子台２０の端子台２０の上面右端部と第２押圧部材３０Ｒの左端部とが、第２回動部７０Ｒによって連結されている。第２押圧部材３０Ｒは、端子台２０に対し、第２回動部７０Ｒを支点として上下方向に回動可能となっている。さらに、第２回動部７０Ｒには、第２押圧部材３０Ｒを端子台２０の載置部２１Ｕ、２１Ｖ、２１Ｗに向かう方向に付勢する第２付勢部材７１Ｒが設けられている。第２付勢部材７１Ｒは、例えばリングばねである。
【００５０】
第１押圧部材３０Ｌ及び第２押圧部材３０Ｒは、第１付勢部材７１Ｌ及び第２付勢部材７１Ｒの付勢力によって、接続部６０Ｕ、６０Ｖ、６０Ｗを押圧する。そして、第１接続端子４１Ｕ、４１Ｖ、４１Ｗ及び第２接続端子５１Ｕ、５１Ｖ、５１Ｗは、電気的に接続された状態で端子台２０に固定される。
【００５１】
これにより、第１接続端子４１Ｕ、４１Ｖ、４１Ｗと第２接続端子５１Ｕ、５１Ｖ、５１Ｗとを、ボルト部材を用いることなく、電気的に接続して端子台２０に固定することができる。
【００５２】
さらに、第１押圧部材３０Ｌ及び第２押圧部材３０Ｒの第１付勢部材７１Ｌ及び第２付勢部材７１Ｒによる付勢力は、力のモーメントにより、第１回動部７０Ｌ及び第２回動部７０Ｒからの距離が長くなるほど小さくなる。したがって、第１押圧部材３０Ｌは、左端側の付勢力が大きく、右端側の付勢力が小さい。一方、第２押圧部材３０Ｒは、右端側の付勢力が大きく、左端側の付勢力が小さい。これにより、第１押圧部材３０Ｌ及び第２押圧部材３０Ｒにより、対向する左右両側から接続部６０Ｕ、６０Ｖ、６０Ｗを押圧することができるので、均一な押圧力で接続部６０Ｕ、６０Ｖ、６０Ｗを載置部２１Ｕ、２１Ｖ、２１Ｗに押圧することができる。
【００５３】
さらに、図４Ｂ及び図４Ｃに示すように、第１押圧部材３０Ｌの左端側領域においては、第１押圧部材３０Ｌの一部が上方、第２押圧部材３０Ｒの一部が下方となるように、上下方向に重なるように形成されている。一方、第２押圧部材３０Ｒの右端側領域においては、第２押圧部材３０Ｒの一部が上方、第１押圧部材３０Ｌの一部が下方となるように、上下方向に重なるように形成されている。
【００５４】
したがって、左端側領域においては、付勢力の小さい第２押圧部材３０Ｒが、付勢力の大きい第１押圧部材３０Ｌによって端子台２０の載置部２１Ｕ、２１Ｖ、２１Ｗに押圧される。一方、右端側領域においては、付勢力の小さい第１押圧部材３０Ｌが、付勢力の大きい第２押圧部材３０Ｒによって端子台２０の載置部２１Ｕ、２１Ｖ、２１Ｗに押圧される。
【００５５】
これにより、第１押圧部材３０Ｌ及び第２押圧部材３０Ｒは、それぞれ付勢力の大きい領域が上方に位置し、接続部６０Ｕ、６０Ｖ、６０Ｗを押圧することができるので、より大きな押圧力で接続部６０Ｕ、６０Ｖ、６０Ｗを載置部２１Ｕ、２１Ｖ、２１Ｗに押圧することができる。
【００５６】
［第４実施形態］
次に、本発明の第４実施形態の端子台ユニット１０Ｃについて図５を参照しながら説明する。なお、以下の説明において、第１実施形態の端子台ユニット１０と同一の構成要素については同一の符号を付して説明を省略又は簡略化し、第１実施形態の端子台ユニット１０と第４実施形態の端子台ユニット１０Ｃとの相違点について詳細に説明する。
【００５７】
図５に示すように、端子台２０は、上面の上方に、載置部２１Ｕ、２１Ｖ、２１Ｗと対向するように形成された押さえ部２６を有する。押圧部材３０は、左右一対の付勢部材３６Ｌ、３６Ｒと、付勢部材３６Ｌ、３６Ｒを挟持する一対の平板材である上板３７Ａ及び下板３７Ｂと、を有する。付勢部材３６Ｌ、３６Ｒは、例えば、コイルばねである。
【００５８】
押圧部材３０は、上板３７Ａが端子台２０の押さえ部２６と対向し、下板３７Ｂが端子台２０の載置部２１Ｕ、２１Ｖ、２１Ｗと対向するように、端子台２０の押さえ部２６と載置部２１Ｕ、２１Ｖ、２１Ｗとの間に、付勢部材３６Ｌ、３６Ｒが圧縮した状態で介挿されている。押圧部材３０は、付勢部材３６Ｌ、３６Ｒの付勢力によって、下板３７Ｂで接続部６０Ｕ、６０Ｖ、６０Ｗを押圧する。そして、第１接続端子４１Ｕ、４１Ｖ、４１Ｗ及び第２接続端子５１Ｕ、５１Ｖ、５１Ｗは、電気的に接続された状態で端子台２０に固定される。
【００５９】
これにより、第１接続端子４１Ｕ、４１Ｖ、４１Ｗと第２接続端子５１Ｕ、５１Ｖ、５１Ｗとを、ボルト部材を用いることなく、電気的に接続して端子台２０に固定することができる。
【００６０】
なお、本実施形態においては、端子台２０には、載置部２１Ｕと載置部２１Ｖとの間に配置され、上方に突出して載置部２１Ｕと載置部２１Ｖとを仕切る仕切壁２７Ｌ、及び載置部２１Ｖと載置部２１Ｗとの間に配置され、上方に突出して載置部２１Ｖと載置部２１Ｗとを仕切る仕切壁２７Ｒが形成されている。そして、押圧部材３０の下板３７Ｂには、仕切壁２７Ｌ、２７Ｒがそれぞれ挿通する、スリット孔３８Ｌ、３８Ｒが設けられている。
【００６１】
これにより、接続部６０Ｕ、６０Ｖ、６０Ｗは、それぞれ仕切壁２７Ｌ、２７Ｒによって仕切られるので、第１接続端子４１Ｕが対応する第２接続端子５１Ｕ以外の第２接続端子５１Ｖ、５１Ｗと電気的に接続することを防止できる。第１接続端子４１Ｖ、４１Ｗについても同様に、対応する第２接続端子以外の第２接続端子と電気的に接続することを防止できる。さらに、押圧部材３０は、スリット孔３８Ｌ、３８Ｒに端子台２０の仕切壁２７Ｌ、２７Ｒが挿通した状態で固定されるので、押圧部材３０の位置ずれを防止することができる。
【００６２】
［第５実施形態］
次に、本発明の第５実施形態の端子台ユニット１０Ｄについて図６を参照しながら説明する。なお、以下の説明において、第４実施形態の端子台ユニット１０Ｃと同一の構成要素については同一の符号を付して説明を省略又は簡略化し、第４実施形態の端子台ユニット１０Ｃと第５実施形態の端子台ユニット１０Ｄとの相違点について詳細に説明する。
【００６３】
図６に示すように、端子台ユニット１０Ｄは、ケース部材９１とカバー部材９２とによって形成される空間部９０に収容されている。カバー部材９２は、ケース部材９１にボルト部材９３によって取付けられている。
【００６４】
押圧部材３０は、左右一対の付勢部材３６Ｌ、３６Ｒと、平板材である下板３７Ｂと、を有する。付勢部材３６Ｌ、３６Ｒは、例えば、コイルばねである。押圧部材３０は、カバー部材９２と一体成形されており、左右一対の付勢部材３６Ｌ、３６Ｒは、カバー部材９２と下板３７Ｂとによって挟持されている。
【００６５】
押圧部材３０は、下板３７Ｂが端子台２０の載置部２１Ｕ、２１Ｖ、２１Ｗと対向するように配置される。カバー部材９２がケース部材９１に取付けられると、押圧部材３０は、付勢部材３６Ｌ、３６Ｒが圧縮した状態となり、付勢部材３６Ｌ、３６Ｒの付勢力によって、下板３７Ｂで接続部６０Ｕ、６０Ｖ、６０Ｗを押圧する。そして、第１接続端子４１Ｕ、４１Ｖ、４１Ｗ及び第２接続端子５１Ｕ、５１Ｖ、５１Ｗは、電気的に接続された状態で端子台２０に固定される。
【００６６】
したがって、カバー部材９２をケース部材９１に取付ける作業を行うと、第１接続端子４１Ｕ、４１Ｖ、４１Ｗと第２接続端子５１Ｕ、５１Ｖ、５１Ｗとが、電気的に接続して端子台２０に固定される。これにより、第１接続端子４１Ｕ、４１Ｖ、４１Ｗと第２接続端子５１Ｕ、５１Ｖ、５１Ｗとを、電気的に接続して端子台２０に固定する作業を削減できる。
【００６７】
なお、本実施形態においては、端子台２０には、載置部２１Ｕと載置部２１Ｖとの間に配置され、上方に突出して載置部２１Ｕと載置部２１Ｖとを仕切る仕切壁２７Ｌ、及び載置部２１Ｖと載置部２１Ｗとの間に配置され、上方に突出して載置部２１Ｖと載置部２１Ｗとを仕切る仕切壁２７Ｒが形成されている。そして、押圧部材３０の下板３７Ｂには、仕切壁２７Ｌ、２７Ｒがそれぞれ挿通する、スリット孔３８Ｌ、３８Ｒが設けられている。
【００６８】
これにより、接続部６０Ｕ、６０Ｖ、６０Ｗは、それぞれ仕切壁２７Ｌ、２７Ｒによって仕切られるので、第１接続端子４１Ｕが対応する第２接続端子５１Ｕ以外の第２接続端子５１Ｖ、５１Ｗと電気的に接続することを防止できる。第１接続端子４１Ｖ、４１Ｗについても同様に、対応する第２接続端子以外の第２接続端子と電気的に接続することを防止できる。さらに、押圧部材３０は、スリット孔３８Ｌ、３８Ｒに端子台２０の仕切壁２７Ｌ、２７Ｒが挿通した状態で固定されるので、押圧部材３０の位置ずれを防止することができる。
【００６９】
［第６実施形態］
次に、本発明の第６実施形態の端子台ユニット１０Ｅについて図７を参照しながら説明する。なお、以下の説明において、第１実施形態の端子台ユニット１０と同一の構成要素については同一の符号を付して説明を省略又は簡略化し、第１実施形態の端子台ユニット１０と第６実施形態の端子台ユニット１０Ｅとの相違点について詳細に説明する。
【００７０】
図７に示すように、端子台２０の左右両面には、それぞれ左右方向外側に突出した係止ピン２８Ｌ、２８Ｒが設けられている。押圧部材３０の左右両面には、それぞれ左右方向外側に突出した係止ピン３９Ｌ、３９Ｒが設けられている。端子台２０の係止ピン２８Ｌ及び押圧部材３０の係止ピン３９Ｌには、弾性体で形成されたリング状の弾性リング１００Ｌが伸長した状態で係止されている。端子台２０の係止ピン２８Ｒ及び押圧部材３０の係止ピン３９Ｒには、弾性体で形成されたリング状の弾性リング１００Ｒが伸長した状態で係止されている。
【００７１】
押圧部材３０は、弾性リング１００Ｌ、１００Ｒの復元力による付勢力によって、接続部６０Ｕ、６０Ｖ、６０Ｗを端子台２０の載置部２１Ｕ、２１Ｖ、２１Ｗに押圧する。そして、第１接続端子４１Ｕ、４１Ｖ、４１Ｗ及び第２接続端子５１Ｕ、５１Ｖ、５１Ｗは、電気的に接続された状態で端子台２０に固定される。
【００７２】
これにより、第１接続端子４１Ｕ、４１Ｖ、４１Ｗと第２接続端子５１Ｕ、５１Ｖ、５１Ｗとを、ボルト部材を用いることなく、電気的に接続して端子台２０に固定することができる。
【００７３】
なお、本実施形態においては、端子台２０には、載置部２１Ｕと載置部２１Ｖとの間に配置され、上方に突出して載置部２１Ｕと載置部２１Ｖとを仕切る仕切壁２７Ｌ、及び載置部２１Ｖと載置部２１Ｗとの間に配置され、上方に突出して載置部２１Ｖと載置部２１Ｗとを仕切る仕切壁２７Ｒが形成されている。そして、押圧部材３０には、仕切壁２７Ｌ、２７Ｒがそれぞれ挿通する、スリット孔３８Ｌ、３８Ｒが設けられている。
【００７４】
これにより、接続部６０Ｕ、６０Ｖ、６０Ｗは、それぞれ仕切壁２７Ｌ、２７Ｒによって仕切られるので、第１接続端子４１Ｕが対応する第２接続端子５１Ｕ以外の第２接続端子５１Ｖ、５１Ｗと電気的に接続することを防止できる。第１接続端子４１Ｖ、４１Ｗについても同様に、対応する第２接続端子以外の第２接続端子と電気的に接続することを防止できる。さらに、押圧部材３０は、スリット孔３８Ｌ、３８Ｒに端子台２０の仕切壁２７Ｌ、２７Ｒが挿通した状態で固定されるので、押圧部材３０の位置ずれを防止することができる。
【００７５】
［第７実施形態］
次に、本発明の第７実施形態の端子台ユニット１０Ｆについて図８を参照しながら説明する。なお、以下の説明において、第１実施形態の端子台ユニット１０と同一の構成要素については同一の符号を付して説明を省略又は簡略化し、第１実施形態の端子台ユニット１０と第７実施形態の端子台ユニット１０Ｆとの相違点について詳細に説明する。
【００７６】
図８に示すように、端子台２０は、上面の上方に、上面と対向するように形成された押さえ部２６を有する。載置部２１Ｕ、２１Ｖ、２１Ｗは、端子台２０の上面と対向する押さえ部２６の下面に設けられている。押圧部材３０は、端子台２０の上面と、押さえ部２６の載置部２１Ｕ、２１Ｖ、２１Ｗとの間に配置されている。
【００７７】
さらに、端子台２０には、押さえ部２６の上面前端側に、クランプ装置１１０が設けられている。クランプ装置１１０は、端子台２０に固定されたベース部１１１と、ベース部１１１に回動可能に設けられたレバー１１２と、ベース部１１１から下方に延び、レバー１１２を回動することにより上下方向に移動するクランプアーム１１３と、を備える。クランプ装置１１０のクランプアーム１１３は、ベース部１１１から端子台２０の押さえ部２６を挿通するように配置され、下端が押圧部材３０に連結している。
【００７８】
載置部２１Ｕ、２１Ｖ、２１Ｗと、押圧部材３０との間に、それぞれ第１接続端子４１Ｕ、４１Ｖ、４１Ｗ及び第２接続端子５１Ｕ、５１Ｖ、５１Ｗが互いの平板面の少なくとも一部が上下に重なって配置されている。
【００７９】
クランプ装置１１０のレバー１１２を回動させると、クランプアーム１１３が上方に移動し、押圧部材３０が上方に引き上げられる。押圧部材３０は、クランプ装置１１０による締付力によって、接続部６０Ｕ、６０Ｖ、６０Ｗを押圧する。そして、第１接続端子４１Ｕ、４１Ｖ、４１Ｗ及び第２接続端子５１Ｕ、５１Ｖ、５１Ｗは、電気的に接続された状態で端子台２０に固定される。
【００８０】
これにより、第１接続端子４１Ｕ、４１Ｖ、４１Ｗと第２接続端子５１Ｕ、５１Ｖ、５１Ｗとを、ボルト部材を用いることなく、電気的に接続して端子台２０に固定することができる。
【００８１】
本実施形態では、クランプ装置１１０は、載置部２１Ｕ、２１Ｖ、２１Ｗの前方に配置されているものとしたが、押圧部材３０と連結可能な任意の位置に配置することができ、例えば、後方に配置されていてもよい。また、クランプ装置１１０は複数設けられていてもよく、例えば、端子台２０の押さえ部２６の上面左右両側に設けられていてもよい。
【００８２】
［第８実施形態］
次に、本発明の第８実施形態の端子台ユニット１０Ｇについて図９を参照しながら説明する。なお、以下の説明において、第１実施形態の端子台ユニット１０と同一の構成要素については同一の符号を付して説明を省略又は簡略化し、第１実施形態の端子台ユニット１０と第８実施形態の端子台ユニット１０Ｇとの相違点について詳細に説明する。
【００８３】
図９に示すように、端子台２０は、上面から上方に延びるカムレバー装置１２０が設けられている。カムレバー装置１２０は、締結部材１２１と、一端部にカム部１２２を備えたレバー１２３と、レバー１２３を締結部材１２１と回動可能に連結し、カム部１２２に設けられた連結ピン１２４と、締結部材１２１を囲むように形成され、レバー１２３のカム部１２２と当接するコンタクトプレート１２５と、を備える。カムレバー装置１２０の締結部材１２１は、端子台２０の上面に締結されており、押圧部材３０は、端子台２０の上面とカムレバー装置１２０のコンタクトプレート１２５によって挟持されている。
【００８４】
カムレバー装置１２０のレバー１２３を回動させると、カム部１２２によってコンタクトプレート１２５が下方に押し下げられ、押圧部材３０は、端子台２０の上面とカムレバー装置１２０のコンタクトプレート１２５とによって締付けられる。押圧部材３０は、このカムレバー装置１２０による締付力によって、接続部６０Ｕ、６０Ｖ、６０Ｗを押圧する。そして、第１接続端子４１Ｕ、４１Ｖ、４１Ｗ及び第２接続端子５１Ｕ、５１Ｖ、５１Ｗは、電気的に接続された状態で端子台２０に固定される。
【００８５】
これにより、第１接続端子４１Ｕ、４１Ｖ、４１Ｗと第２接続端子５１Ｕ、５１Ｖ、５１Ｗとを、ボルト部材を用いることなく、電気的に接続して端子台２０に固定することができる。
【００８６】
本実施形態では、カムレバー装置１２０は、載置部２１Ｕ、２１Ｖ、２１Ｗの前方に配置されているものとしたが、押圧部材３０を挟持可能な任意の位置に配置することができ、例えば、後方に配置されていてもよい。また、カムレバー装置１２０は複数設けられていてもよく、例えば、端子台２０上面の左右両側に設けられていてもよい。
【００８７】
［第９実施形態］
次に、本発明の第９実施形態の端子台ユニット１０Ｈについて図１０を参照しながら説明する。なお、以下の説明において、第１実施形態の端子台ユニット１０と同一の構成要素については同一の符号を付して説明を省略又は簡略化し、第１実施形態の端子台ユニット１０と第９実施形態の端子台ユニット１０Ｈとの相違点について詳細に説明する。
【００８８】
図１０に示すように、端子台２０は、載置部２１Ｕ、２１Ｖ、２１Ｗの下方に、永久磁石２９が配置されている。押圧部材３０は、永久磁石２９に引き寄せられる強磁性体を含む材料で形成されている。押圧部材３０の下面には、端子台２０の載置部２１Ｕ、２１Ｖ、２１Ｗと対向する位置にそれぞれ絶縁部材１３０Ｕ、１３０Ｖ、１３０Ｗが設けられている。また、押圧部材３０の下面に下方向に突出して形成されている仕切壁３２Ｌ、３２Ｒは、絶縁材料によって形成されている。したがって、第１接続端子４１Ｕ、４１Ｖ、４１Ｗと、対応する第２接続端子５１Ｕ、５１Ｖ、５１Ｗとを、互いの平板面の少なくとも一部が上下に重なるように、それぞれ端子台２０の載置部２１Ｕ、２１Ｖ、２１Ｗに載置した状態で、押圧部材３０を載置部２１Ｕ、２１Ｖ、２１Ｗに近づけると、押圧部材３０は、永久磁石２９の磁力によって、接続部６０Ｕ、６０Ｖ、６０Ｗを端子台２０の載置部２１Ｕ、２１Ｖ、２１Ｗに押圧した状態で固定される。そして、第１接続端子４１Ｕ、４１Ｖ、４１Ｗ及び第２接続端子５１Ｕ、５１Ｖ、５１Ｗは、電気的に接続された状態で端子台２０に固定される。
【００８９】
このとき、第２接続端子５１Ｕ、５１Ｖ、５１Ｗは、絶縁部材１３０Ｕ、１３０Ｖ、１３０Ｗと当接し、押圧部材３０とは直接当接しない。したがって、第２接続端子５１Ｕ、５１Ｖ、５１Ｗと押圧部材３０とが電気的に接続することを防止でき、押圧部材３０を介して、第２接続端子５１Ｕ、５１Ｖ、５１Ｗ同士が電気的に接続することを防止できる。また、絶縁材料によって形成された仕切壁３２Ｌ、３２Ｒが、それぞれ端子台２０の溝部２２Ｌ、２２Ｒに位置するように端子台２０に固定されていることにより、第１接続端子４１Ｕ、４１Ｖ、４１Ｗが、対応する第２接続端子以外の第２接続端子と電気的に接続することを防止できる。
【００９０】
これにより、第１接続端子４１Ｕ、４１Ｖ、４１Ｗと第２接続端子５１Ｕ、５１Ｖ、５１Ｗとを、ボルト部材を用いることなく、電気的に接続して端子台２０に固定することができる。
【００９１】
なお、本実施形態では、絶縁部材１３０Ｕ、１３０Ｖ、１３０Ｗは、端子台２０の載置部２１Ｕ、２１Ｖ、２１Ｗと対向する位置にそれぞれ設けられているもの、すなわち３つの絶縁部材を用いるものとしたが、絶縁部材１３０Ｕ、１３０Ｖ、１３０Ｗを一体化し、端子台２０の載置部２１Ｕ、２１Ｖ、２１Ｗの全てと対向する１つの絶縁部材を用いるものとしてもよい。
【００９２】
また、本実施形態では、端子台２０に永久磁石２９が配置され、押圧部材３０が強磁性体を含む材料で形成されているものとしたが、押圧部材３０に永久磁石が配置され、端子台２０が強磁性体を含む材料で形成されていてもよい。
【００９３】
図１１に示すように、押圧部材３０を省略し、第１接続端子４１Ｕ、４１Ｖ、４１Ｗ及び第２接続端子５１Ｕ、５１Ｖ、５１Ｗが、強磁性体を含む材料で形成されているものとしてもよい。さらに、端子台２０には、載置部２１Ｕ、２１Ｖ、２１Ｗそれぞれの下方に、永久磁石２９Ｕ、２９Ｖ、２９Ｗが別個に配置されていてもよい。このようにすると、第１接続端子４１Ｕ、４１Ｖ、４１Ｗと、対応する第２接続端子５１Ｕ、５１Ｖ、５１Ｗとを、互いの平板面の少なくとも一部が上下に重なるように近づけると、第１接続端子４１Ｕ、４１Ｖ、４１Ｗ及び第２接続端子５１Ｕ、５１Ｖ、５１Ｗは、永久磁石２９Ｕ、２９Ｖ、２９Ｗの磁力によって、接続部６０Ｕ、６０Ｖ、６０Ｗを端子台２０の載置部２１Ｕ、２１Ｖ、２１Ｗに押圧した状態で固定される。そして、第１接続端子４１Ｕ、４１Ｖ、４１Ｗ及び第２接続端子５１Ｕ、５１Ｖ、５１Ｗは、電気的に接続された状態で端子台２０に固定される。
【００９４】
これにより、第１接続端子４１Ｕ、４１Ｖ、４１Ｗと第２接続端子５１Ｕ、５１Ｖ、５１Ｗとを、ボルト部材を用いることなく、電気的に接続して端子台２０に固定することができる。
【００９５】
本実施形態では、第１接続端子４１Ｕ、４１Ｖ、４１Ｗ及び第２接続端子５１Ｕ、５１Ｖ、５１Ｗが、ともに強磁性体を含む材料で形成されているものとしたが、第１接続端子４１Ｕ、４１Ｖ、４１Ｗ及び第２接続端子５１Ｕ、５１Ｖ、５１Ｗの一方が強磁性体を含む材料で形成されているものとしてもよい。第１接続端子４１Ｕ、４１Ｖ、４１Ｗ及び第２接続端子５１Ｕ、５１Ｖ、５１Ｗの強磁性体を含む材料で形成されている一方と、端子台２０の載置部２１Ｕ、２１Ｖ、２１Ｗによって、第１接続端子４１Ｕ、４１Ｖ、４１Ｗ及び第２接続端子５１Ｕ、５１Ｖ、５１Ｗの強磁性体を含む材料で形成されていない他方を挟持し、永久磁石２９Ｕ、２９Ｖ、２９Ｗの磁力によって、接続部６０Ｕ、６０Ｖ、６０Ｗが端子台２０の載置部２１Ｕ、２１Ｖ、２１Ｗに押圧される。
【００９６】
なお、本発明は、前述した実施形態に限定されるものではなく、適宜、変形、改良、等が可能である。
【００９７】
また、本明細書には少なくとも以下の事項が記載されている。なお、括弧内には、上記した実施形態において対応する構成要素等を示しているが、これに限定されるものではない。
【００９８】
（１）  一端部に第１接続端子（第１接続端子４１Ｕ、４１Ｖ、４１Ｗ）が設けられた第１導電部材（第１導電部材４０Ｕ、４０Ｖ、４０Ｗ）と、
一端部に第２接続端子（第２接続端子５１Ｕ、５１Ｖ、５１Ｗ）が設けられた、前記第１導電部材と対応する第２導電部材（第２導電部材５０Ｕ、５０Ｖ、５０Ｗ）と、
前記第１接続端子及び前記第２接続端子が載置される載置部（載置部２１Ｕ、２１Ｖ、２１Ｗ）を有する端子台（端子台２０）と、
前記第１接続端子及び前記第２接続端子を挟んで前記載置部と対向して配置される押圧部材（押圧部材３０）と、を備え、
前記第１接続端子及び該第１接続端子と対応する前記第２接続端子が、前記押圧部材の押圧力によって、接続部（接続部６０Ｕ、６０Ｖ、６０Ｗ）で電気的に接続された状態で前記端子台に固定されている、端子台ユニット（端子台ユニット１０）。
【００９９】
（１）によれば、押圧部材が接続部を載置部に押圧することによって、第１接続端子と該第１接続端子と対応する第２接続端子とを、ボルト部材を用いることなく、電気的に接続して固定することができる。これにより、端子台にナット部材を配置する必要がないので、端子台の製造が容易となる。また、第１接続端子と該第１接続端子と対応する第２接続端子とをボルト部材で締結する作業が不要となり、生産性が向上する。
【０１００】
（２）  （１）に記載の端子台ユニットであって、
前記端子台と前記押圧部材の少なくとも一方には、各接続部の間に配置された仕切壁（仕切壁３２Ｌ、３２Ｒ）が設けられている、端子台ユニット。
【０１０１】
（２）によれば、各接続部の間に配置された仕切壁によって、複数の接続部が電気的に接続することを防止できる。
【０１０２】
（３）  （１）または（２）に記載の端子台ユニットであって、
前記押圧部材の一端部と前記端子台とを連結する回動部（回動部７０）を備え、
前記押圧部材と前記端子台とは、前記回動部を支点として回動可能に連結される、端子台ユニット。
【０１０３】
（３）によれば、押圧部材を回動することで、押圧部材が接続部を載置部に押圧することができるので、容易な作業で、第１接続端子と該第１接続端子と対応する第２接続端子とを電気的に接続して固定することができる。
【０１０４】
（４）  （３）に記載の端子台ユニットであって、
前記回動部には、前記押圧部材を前記載置部に向かう方向に付勢する付勢部材（付勢部材７１）が設けられており、
前記押圧部材は、前記付勢部材の付勢力によって、前記接続部を前記載置部に押圧する、端子台ユニット。
【０１０５】
（４）によれば、押圧部材は、付勢部材の付勢力によって、接続部を載置部に押圧することができるので、シンプルな構造で、第１接続端子と、該第１接続端子と対応する第２接続端子とを電気的に接続して固定することができる。
【０１０６】
（５）  （１）〜（４）のいずれかに記載の端子台ユニットであって、
前記押圧部材には、前記載置部に向かって突出した係止部（爪部３１Ｌ、３１Ｒ、３３Ｌ、３３Ｒ）が設けられており、
前記押圧部材は、前記係止部が前記端子台に係止されることによって、前記接続部を前記載置部に押圧した状態で前記端子台に固定される、端子台ユニット。
【０１０７】
（５）によれば、押圧部材は、押圧部材に設けられた係止部によって、接続部を載置部に押圧した状態で端子台に固定されるので、ボルト部材を用いることなく、第１接続端子と該第１接続端子と対応する第２接続端子とを電気的に接続して固定することができる。
【０１０８】
（６）  （１）〜（４）のいずれかに記載の端子台ユニットであって、
前記端子台には、前記押圧部材に向かって突出した係止部（爪部３１Ｌ、３１Ｒ、３３Ｌ、３３Ｒ）が設けられており、
前記押圧部材は、前記係止部が前記押圧部材に係止されることによって、前記接続部を前記載置部に押圧した状態で前記端子台に固定される、端子台ユニット。
【０１０９】
（６）によれば、押圧部材は、端子台に設けられた係止部によって、接続部を載置部に押圧した状態で端子台に固定されるので、ボルト部材を用いることなく、第１接続端子と該第１接続端子と対応する第２接続端子とを電気的に接続して固定することができる。
【０１１０】
（７）  （１）〜（４）のいずれかに記載の端子台ユニットであって、
前記押圧部材と前記端子台とを係止する係止部材（係止部材８０）を備え、
前記押圧部材は、前記係止部材によって、前記接続部を前記載置部に押圧した状態で前記端子台に固定される、端子台ユニット。
【０１１１】
（７）によれば、押圧部材は、係止部材によって、接続部を載置部に押圧した状態で端子台に固定されるので、ボルト部材を用いることなく、第１接続端子と該第１接続端子と対応する第２接続端子とを電気的に接続して固定することができる。
【０１１２】
（８）  （１）または（２）に記載の端子台ユニットであって、
前記押圧部材は、
前記接続部の第１端部側（左端側）から、該第１端部と対向する第２端部側（右端側）へと延びる第１押圧部材（第１押圧部材３０Ｌ）と、
前記接続部の前記第２端部側から、前記第１端部側へと延びる第２押圧部材（第２押圧部材３０Ｒ）と、を有し、
前記第１押圧部材は、前記第１端部側端部と前記端子台とを連結する第１回動部（第１回動部７０Ｌ）を支点として回動可能に前記端子台に連結され、
前記第２押圧部材は、前記第２端部側端部と前記端子台とを連結する第２回動部（第２回動部７０Ｒ）を支点として回動可能に前記端子台に連結され、
前記第１回動部には、前記第１押圧部材を前記載置部に向かう方向に付勢する第１付勢部材（第１付勢部材７１Ｌ）が設けられており、
前記第２回動部には、前記第２押圧部材を前記載置部に向かう方向に付勢する第２付勢部材（第２付勢部材７１Ｒ）が設けられており、
前記第１押圧部材は、前記第１付勢部材の付勢力によって、前記接続部を前記載置部に押圧し、
前記第２押圧部材は、前記第２付勢部材の付勢力によって、前記接続部を前記載置部に押圧する、端子台ユニット。
【０１１３】
（８）によれば、押圧部材は、接続部の第１端部側から第２端部側へと延びる第１押圧部材と、接続部の第２端部側から、第１端部側へと延びる第２押圧部材とによって、接続部を載置部に押圧する。これにより、対向する第１端部側及び第２端部側の両側から、第１付勢部材の付勢力及び第２付勢部材の付勢力によって、接続部を載置部に押圧することができるので、均一な押圧力で接続部を載置部に押圧することができる。
【０１１４】
（９）  （１）または（２）に記載の端子台ユニットであって、
前記端子台は、前記載置部に対向する押さえ部（押さえ部２６）を有し、
前記押圧部材は、付勢部材（付勢部材３６Ｌ、３６Ｒ）と、該付勢部材を挟持する一対の板材（上板３７Ａ、下板３７Ｂ）と、を有し、
前記押圧部材は、前記載置部と前記押さえ部との間に介挿され、前記付勢部材の付勢力によって、前記接続部を前記載置部に押圧する、端子台ユニット。
【０１１５】
（９）によれば、押圧部材は、付勢部材の付勢力によって、接続部を載置部に押圧することができるので、ボルト部材を用いることなく、第１接続端子と該第１接続端子と対応する第２接続端子とを電気的に接続して固定することができる。
【０１１６】
（１０）  （１）または（２）に記載の端子台ユニットであって、
前記端子台ユニットは、ケース部材（ケース部材９１）とカバー部材（カバー部材９２）とによって形成される空間部（空間部９０）に収容され、
前記押圧部材は、付勢部材（付勢部材３６Ｌ、３６Ｒ）及び板材（下板３７Ｂ）を有し、
前記押圧部材は、前記カバー部材と一体成形され、前記付勢部材が前記カバー部材と前記板材によって挟持されており、前記付勢部材の付勢力によって、前記接続部を前記載置部に押圧する、端子台ユニット。
【０１１７】
（１０）によれば、押圧部材は、カバー部材と一体成形されるので、部品点数を削減できる。また、押圧部材は、付勢部材を有し、付勢部材の付勢力によって、接続部を載置部に押圧することができるので、ボルト部材を用いることなく、第１接続端子と該第１接続端子と対応する第２接続端子とを電気的に接続して固定することができる。
【０１１８】
（１１）  （１）または（２）に記載の端子台ユニットであって、
前記押圧部材及び前記端子台は、一対の付勢部材（弾性リング１００Ｌ、１００Ｒ）によって互いに近づくように付勢され、
前記押圧部材は、前記一対の付勢部材の付勢力によって、前記接続部を前記載置部に押圧する、端子台ユニット。
【０１１９】
（１１）によれば、押圧部材は、一対の付勢部材の付勢力によって、接続部を載置部に押圧することができるので、ボルト部材を用いることなく、第１接続端子と該第１接続端子と対応する第２接続端子とを電気的に接続して固定することができる。
【０１２０】
（１２）  （１）または（２）に記載の端子台ユニットであって、
前記端子台は、クランプアーム（クランプアーム１１３）を有するクランプ装置（クランプ装置１１０）を備え、
前記クランプアームは、前記押圧部材に連結しており、
前記押圧部材は、前記クランプ装置の締付力によって、前記接続部を前記載置部に押圧する、端子台ユニット。
【０１２１】
（１２）によれば、端子台に設けられたクランプ装置を操作することによって、第１接続端子と該第１接続端子と対応する第２接続端子とを電気的に接続して固定することができる。これにより、容易な作業で、第１接続端子と該第１接続端子と対応する第２接続端子とを電気的に接続して固定することができる。
【０１２２】
（１３）  （１）または（２）に記載の端子台ユニットであって、
前記押圧部材は、前記端子台に設けられたカムレバー装置（カムレバー装置１２０）によって挟持されており、前記カムレバー装置の締付力によって、前記接続部を前記載置部に押圧する、端子台ユニット。
【０１２３】
（１３）によれば、端子台に設けられたカムレバー装置を操作することによって、第１接続端子と該第１接続端子と対応する第２接続端子とを電気的に接続して固定することができる。これにより、容易な作業で、第１接続端子と該第１接続端子と対応する第２接続端子とを電気的に接続して固定することができる。
【０１２４】
（１４）  （１）または（２）に記載の端子台ユニットであって、
前記端子台と前記押圧部材のいずれか一方には、永久磁石（永久磁石２９）が配置され、
前記端子台と前記押圧部材の他方は、前記永久磁石に引き寄せられる強磁性体を含み、
前記押圧部材は、前記永久磁石の磁力によって、前記接続部を前記載置部に押圧する、端子台ユニット。
【０１２５】
（１４）によれば、押圧部材は、磁力によって、接続部を載置部に押圧することができるので、ボルト部材を用いることなく、第１接続端子と該第１接続端子と対応する第２接続端子とを電気的に接続して固定することができる。
【０１２６】
（１５）  一端部に第１接続端子（第１接続端子４１Ｕ、４１Ｖ、４１Ｗ）が設けられた第１導電部材（第１導電部材４０Ｕ、４０Ｖ、４０Ｗ）と、
一端部に第２接続端子（第２接続端子５１Ｕ、５１Ｖ、５１Ｗ）が設けられた、前記第１導電部材と対応する第２導電部材（第２導電部材５０Ｕ、５０Ｖ、５０Ｗ）と、
前記第１接続端子及び前記第２接続端子が載置される載置部（載置部２１Ｕ、２１Ｖ、２１Ｗ）を有する端子台（端子台２０）と、を備え、
前記端子台の前記載置部には、永久磁石（永久磁石２９Ｕ、２９Ｖ、２９Ｗ）が配置されており、
前記第１接続端子及び前記第２接続端子の少なくとも一方は、前記永久磁石に引き寄せられる強磁性体を含み、
前記第１接続端子及び該第１接続端子と対応する前記第２接続端子が、前記永久磁石の磁力によって、接続部（接続部６０Ｕ、６０Ｖ、６０Ｗ）で電気的に接続された状態で前記端子台に固定されている、端子台ユニット（端子台ユニット１０Ｈ）。
【０１２７】
（１５）によれば、永久磁石の磁力よって、第１接続端子と該第１接続端子と対応する第２接続端子とを、ボルト部材を用いることなく、電気的に接続して固定することができる。これにより、端子台にナット部材を配置する必要がないので、端子台の製造が容易となる。また、第１接続端子と該第１接続端子と対応する第２接続端子とをボルト部材で締結する作業が不要となり、生産性が向上する。
【符号の説明】
【０１２８】
１０、１０Ａ〜１０Ｈ  端子台ユニット
２０  端子台
２１Ｕ、２１Ｖ、２１Ｗ  載置部
２６  押さえ部
２９、２９Ｕ、２９Ｖ、２９Ｗ  永久磁石
３０  押圧部材
３０Ｌ  第１押圧部材
３０Ｒ  第２押圧部材
３１Ｌ、３１Ｒ  爪部（係止部）
３２Ｌ、３２Ｒ  仕切壁
３３Ｌ、３３Ｒ  爪部（係止部）
３６Ｌ、３６Ｒ  付勢部材
３７Ａ  上板（板材）
３７Ｂ  下板（板材）
４０Ｕ、４０Ｖ、４０Ｗ  第１導電部材
４１Ｕ、４１Ｖ、４１Ｗ  第１接続端子
５０Ｕ、５０Ｖ、５０Ｗ  第２導電部材
５１Ｕ、５１Ｖ、５１Ｗ  第２接続端子
６０Ｕ、６０Ｖ、６０Ｗ  接続部
７０  回動部
７０Ｌ  第１回動部
７０Ｒ  第２回動部
７１  付勢部材
７１Ｌ  第１付勢部材
７１Ｒ  第２付勢部材
８０  係止部材
９０  空間部
９１  ケース部材
９２  カバー部材
１００Ｌ、１００Ｒ  弾性リング（付勢部材）
１１０  クランプ装置
１１３  クランプアーム
１２０  カムレバー装置
【図１】
2020135968.tif 000003
【図２Ａ】
2020135968.tif 000004
【図２Ｂ】
2020135968.tif 000005
【図３Ａ】
2020135968.tif 000006
【図３Ｂ】
2020135968.tif 000007
【図３Ｃ】
2020135968.tif 000008
【図３Ｄ】
2020135968.tif 000009
【図３Ｅ】
2020135968.tif 000010
【図４Ａ】
2020135968.tif 000011
【図４Ｂ】
2020135968.tif 000012
【図４Ｃ】
2020135968.tif 000013
【図５】
2020135968.tif 000014
【図６】
2020135968.tif 000015
【図７】
2020135968.tif 000016
【図８】
2020135968.tif 000017
【図９】
2020135968.tif 000018
【図１０】
2020135968.tif 000019
【図１１】
2020135968.tif 000020